(57)【要約】      （修正有）【課題】デジタル信号出力を有する接触型映像検知装置及びその信号出力方法を提供する。【解決手段】光検知モジュール、光／デジタル信号変換モジュール、符号化モジュール及び復号化モジュールの一体化運用を通じて、本発明の接触型映像検知装置に画素出力から利用者端の信号伝送方法まですべてをデジタル信号伝送とさせることで、当該復号化モジュールが従来のアナログ／デジタル変換モジュールの機能に取って代わり、パラレルにデジタル信号を出力し、従来のアナログ信号による信号伝送の欠点を改善し、アナログ／デジタル変換モジュール素子の使用を省くことが可能になりコストが低下、ひいては接触型映像検知装置の映像品質を向上させ、製品応用システム設計の簡易性も向上、パワーロスを抑え、コスト低下といった利点を有する。【選択図】図１
2006270875.tif 000002
【特許請求の範囲】
【請求項１】
光を受信し光信号を発生する光検知モジュールと、当該光検知モジュールにより発生した光信号をデジタル信号に変換する光／デジタル信号変換モジュールと、当該光／デジタル信号変換モジュールのデジタル信号をシリアル出力に変換する符号化モジュールと、当該符号化モジュールのシリアル出力をパラレルに変換する復号化モジュールとにより構成されることを特徴とするデジタル信号出力を有する接触型映像検知装置。
【請求項２】
当該光検知モジュールが相補型金属酸化膜半導体の光検知アレイ群であることを特徴とする請求項１記載のデジタル信号出力を有する接触型映像検知装置。
【請求項３】
当該デジタル信号がデジタル画素であることを特徴とする請求項１記載のデジタル信号出力を有する接触型映像検知装置。
【請求項４】
当該符号化モジュールが符号器であることを特徴とする請求項１記載のデジタル信号出力を有する接触型映像検知装置。
【請求項５】
当該復号化モジュールが復号器であることを特徴とする請求項１記載のデジタル信号出力を有する接触型映像検知装置。
【請求項６】
当該復号化モジュールが利用者端に位置することを特徴とする請求項１記載のデジタル信号出力を有する接触型映像検知装置。
【請求項７】
光検知モジュールにより光を受信し光信号を発生するステップと、光／デジタル信号変換モジュールにより、当該光検知モジュールが発生する光信号をデジタル信号に変換するステップと、符号化モジュールにより、当該光／デジタル信号変換モジュールのデジタル信号をシリアル出力に変換するステップと、復号化モジュールにより、当該符号化モジュールのシリアル出力をパラレルのデジタル信号出力に変換するステップとを含むことを特徴とするデジタル信号出力を有する接触型映像検知装置の信号出力方法。
【請求項８】
当該光検知モジュールが相補型金属酸化膜半導体の光検知アレイ群であることを特徴とする請求項７記載のデジタル信号出力を有する接触型映像検知装置の信号出力方法。
【請求項９】
当該デジタル信号がデジタル画素であることを特徴とする請求項７記載のデジタル信号出力を有する接触型映像検知装置の信号出力方法。
【請求項１０】
当該符号化モジュールが符号器であることを特徴とする請求項７記載のデジタル信号出力を有する接触型映像検知装置の信号出力方法。
【請求項１１】
当該復号化モジュールが復号器であることを特徴とする請求項７記載のデジタル信号出力を有する接触型映像検知装置の信号出力方法。
【請求項１２】
当該復号化モジュールが利用者端に位置することを特徴とする請求項７記載のデジタル信号出力を有する接触型映像検知装置の信号出力方法。
【請求項１３】
タイミング発生モジュールと、当該タイミング発生モジュールの制御により光を受信して光信号を発生する光検知モジュールと、当該光検知モジュールが発生する光信号をデジタル信号に変換するアナログ／デジタル変換モジュールと、当該アナログ／デジタル変換モジュールのデジタル信号をシリアル出力に変換する符号化モジュールと、当該符号化モジュールのシリアル出力をパラレルのデジタル信号出力に変換する復号化モジュールとにより構成されることを特徴とするデジタル信号出力を有する接触型映像検知装置。
【請求項１４】
当該光検知モジュールが電荷結合素子の光検知アレイ群であることを特徴とする請求項１３記載のデジタル信号出力を有する接触型映像検知装置。
【請求項１５】
当該タイミング発生モジュールがタイミング信号発生器であることを特徴とする請求項１３記載のデジタル信号出力を有する接触型映像検知装置。
【請求項１６】
当該符号化モジュールが符号器であることを特徴とする請求項１３記載のデジタル信号出力を有する接触型映像検知装置。
【請求項１７】
当該復号化モジュールが復号器であることを特徴とする請求項１３記載のデジタル信号出力を有する接触型映像検知装置。
【請求項１８】
当該復号化モジュールが利用者端に位置することを特徴とする請求項１３記載のデジタル信号出力を有する接触型映像検知装置。
【請求項１９】
当該タイミング発生モジュール、当該アナログ／デジタル変換モジュール及び当該符号化モジュールが、同一のチップに集積されることを特徴とする請求項１３記載のデジタル信号出力を有する接触型映像検知装置。
【請求項２０】
タイミング発生モジュールを提供するステップと、当該タイミング発生モジュールが光検知モジュールを制御することにより、光を受信して光信号を発生するステップと、アナログ／デジタル変換モジュールにより、当該光検知モジュールが発生する光信号をデジタル信号に変換するステップと、符号化モジュールにより、当該アナログ／デジタル変換モジュールのデジタル信号をシリアル出力に変換するステップと、復号化モジュールにより、当該符号化モジュールのシリアル出力をパラレルのデジタル信号出力に変換するステップとを含むことを特徴とするデジタル信号出力を有する接触型映像検知装置の信号出力方法。
【請求項２１】
当該光検知モジュールが電荷結合素子の光検知アレイ群であることを特徴とする請求項２０記載のデジタル信号出力を有する接触型映像検知装置の信号出力方法。
【請求項２２】
当該タイミング発生モジュールがタイミング信号発生器であることを特徴とする請求項２０記載のデジタル信号出力を有する接触型映像検知装置の信号出力方法。
【請求項２３】
当該符号化モジュールが符号器であることを特徴とする請求項２０記載のデジタル信号出力を有する接触型映像検知装置の信号出力方法。
【請求項２４】
当該復号化モジュールが復号器であることを特徴とする請求項２０記載のデジタル信号出力を有する接触型映像検知装置の信号出力方法。
【請求項２５】
当該復号化モジュールが利用者端に位置することを特徴とする請求項２０記載のデジタル信号出力を有する接触型映像検知装置の信号出力方法。
【請求項２６】
当該タイミング発生モジュール、当該アナログ／デジタル変換モジュール及び当該符号化モジュールが同一のチップに集積されることを特徴とする請求項２０記載のデジタル信号出力を有する接触型映像検知装置の信号出力方法。
【発明の詳細な説明】
【技術分野】
【０００１】
本発明は、デジタル信号出力を有する接触型映像検知装置及びその信号出力方法に係るもので、とりわけ、光検知モジュール、光／デジタル信号変換モジュール、符号化モジュール(encoder module)及び復号化モジュール(decoder module)を集積したデジタル信号出力を有する接触型映像検知装置及びその信号出力方法を指す。
【背景技術】
【０００２】
接触型映像センサー(Contact Image Sensor, CIS) はリニア・センサー(Linear sensor) の一種であり、平面の画像や文字を走査(scan)して保存、表示、処理あるいは電気光学の素子として伝送できるように、電子フォームにするのに使用される。接触型映像センサーの最大の特徴は、一体化モジュール設計であり、応用製品に軽量の特徴のみならず、組立を容易にして生産コストを節約する点にある。
【０００３】
接触型映像センサーは、元来、コンパクトでコストが低いなどの利点があり、徐々に多種類の映像応用製品に採用されていった。接触型映像センサーに対し、いかにして容易に様々な応用製品システムに搭載し、利用者の設計時間を短縮し、コストを抑えるかが、市場に導入するのに改善せねばならない重要な方向である。
【０００４】
一般に接触型映像センサーとは、光信号を検知して読み取り可能な電気信号に変換する装置である。その応用範囲は、電気光学の素子で文字や図形、資料を読み取る必要のある映像処理装置、例えばスキャナ、コピー機、多機能事務機械など多岐にわたる。
【０００５】
従来の接触型映像センサーの設計はすべてアナログ信号による処理と伝送であり、利用者端のアナログ／デジタル変換モジュール(Analog to Digital Converter, ADC)を通過する時にデジタル信号に変換される。しかしながら、アナログ信号による伝送は外部の雑信号による干渉を受けやすく、転送線のインピーダンスと浮遊容量(stray capacitance (condenser)) の影響を受け、信号の劣化や、信号が歪んで回復不能となり、電流を浪費し、電圧を過少にできないといった制限、集積回路(Integrated Circuit, IC)製造過程の変更の影響などの欠点をもたらしている。
【０００６】
従って以上のように、前記の既存の接触型映像センサーは、実際に使用する上で明らかに欠点を有し、より一層の改善が期待されていることが分かる。
【０００７】
ゆえに、本発明者は前述の欠点を改善できないかと考え、長年に渡りこの方面に関連することに従事してきた経験を踏まえ、鋭意観察と研究に努め、学理の応用にマッチングさせ、合理的設計かつ前述の欠点を改善するのに効果的な本発明を打ち出した。
【発明の開示】
【発明が解決しようとする課題】
【０００８】
本発明で解決を要する技術上の問題は、デジタル信号出力を有する接触型映像検知装置及びその信号出力方法を提供することにあり、光検知モジュール、光／デジタル信号変換モジュール、符号化モジュール及び復号化モジュールの集積を通じて、本発明の接触型映像検知装置に、画素出力から利用者端まで信号を伝送する方法をすべてデジタル信号伝送とさせることで、当該復号化モジュールを従来のアナログ／デジタル変換モジュールの機能に置き換えることが可能となり、パラレルにデジタル信号を出力する。この設計で、光検知モジュールがデジタル信号処理であること以外に、その他の構造がすべてデジタル信号による処理と伝送であり、既存のアナログ信号による処理と伝送の欠点を大幅に減らすことが可能となる。
【課題を解決するための手段】
【０００９】
上記の技術上の問題を解決するため、本発明の目的(plan)の中の一つに基づき、デジタル信号出力の接触型映像検知装置を採り上げる。それには光検知モジュール、光／デジタル信号変換モジュール、符号化モジュール及び復号化モジュールが含まれる。
【００１０】
当該光検知モジュールは光を受信して光信号を発生し、当該光／デジタル信号変換モジュールは当該光検知モジュールが発生した光信号をデジタル信号に変換し、当該符号化モジュールは当該光／デジタル信号変換モジュールのデジタル信号をシリアル出力に変換し、当該復号化モジュールは当該符号化モジュールのシリアル出力をパラレルのデジタル信号出力に変換する。
【００１１】
上記の技術上の問題を解決するため、本発明の目的の中の一つに基づき、デジタル信号出力の接触型映像検知装置の信号出力方法を採り上げる。それには以下のステップが含まれる。最初は、光検知モジュールにより、光を受信して光信号を発生するステップ、続いて、当該光検知モジュールが発生した光信号を光／デジタル信号変換モジュールによってデジタル信号に変換するステップ、そして、当該光／デジタル信号変換モジュールによって変換されたデジタル信号を、符号化モジュールによってシリアル出力にするステップ、最後に、当該符号化モジュールのシリアル出力をパラレルのデジタル信号出力に変換するステップである。
【００１２】
上記の技術上の問題を解決するため、本発明の目的の中の一つに基づき、デジタル信号出力の接触型映像検知装置を採り上げる。それにはタイミング信号発生モジュール、光検知モジュール、アナログ／デジタル変換モジュール、符号化モジュール及び復号化モジュールが含まれる。当該光検知モジュールは、当該タイミング信号発生モジュールの制御によって光を受信して光信号を発生、当該アナログ／デジタル変換モジュールは、当該光検知モジュールが発生した光信号をデジタル信号に変換するのに用いられ、当該符号化モジュールは、当該アナログ／デジタル変換モジュールのデジタル信号をシリアル出力に変換するのに用いられ、当該復号化モジュールは、当該符号化モジュールのシリアル出力をパラレルのデジタル信号出力に変換するのに用いられる。
【００１３】
上記の技術上の問題を解決するため、本発明の目的の中の一つに基づき、デジタル信号出力の接触型映像検知装置の信号出力方法を採り上げる。最初にタイミング信号発生モジュールを採り上げ、続いて当該タイミング信号発生モジュールの制御によって光を受信して光信号を発生、その後、アナログ／デジタル変換モジュールによって、当該光検知モジュールが発生した光信号をデジタル信号に変換、続いて、符号化モジュールによって、当該アナログ／デジタル変換モジュールのデジタル信号をシリアル出力に変換、最後に、復号化モジュールによって、当該符号化モジュールのシリアル出力をパラレルのデジタル信号出力に変換する。
【００１４】
本発明が予定の目的を達するために採用した技術や手段、効果をより一層理解されるべく、以下の本発明に関する添付図面を参照すれば、本発明の目的、特徴、利点が深く具体的に理解できるものと確信する。しかしながら、添付図面は参考と説明のためのみに提供するのであり、本発明に制限を加える者のために用いられるものではない。
【発明を実施するための最良の形態】
【００１５】
図１は、本発明でデジタル信号出力を備えた接触型映像検知装置の機能を表す第一実施例のブロック図である。図面が示すように、本発明ではデジタル信号出力を備えた接触型映像検知装置を採り上げている。その中には、光検知モジュール１０、光／デジタル信号変換モジュール２０、符号化モジュール３０及び復号化モジュール４０が含まれる。光検知モジュール１０は、相補型金属酸化膜半導体(Complementary Metal-Oxide Semiconductor, CMOS) 光検知アレイ群となり、かつ光検知モジュール１０は光を受信して光信号を発生するのに用いられる。
【００１６】
光／デジタル信号変換モジュール２０は光検知モジュール１０が発生する光信号をデジタル信号に変換するのに用いられ、当該デジタル信号はデジタル画素(pixels)である。
【００１７】
符号化モジュール３０は光／デジタル信号変換モジュール２０のデジタル信号をシリアル出力に変換するのに用いられ、その中の当該符号化モジュールは符号器(encoder) である。復号化モジュール４０は符号化モジュール３０のシリアル出力をパラレルのデジタル信号出力に変換するのに用いられ、その中の当該復号化モジュールは復号器(decoder) であり、かつ当該復号化モジュール４０は利用者端に設置される。
【００１８】
図２は、本発明でデジタル信号出力を備えた接触型映像検知装置の機能を表す第一実施例のフローチャートである。フローチャートから分かるように、本発明では接触型映像検知装置の信号出力方法を採り上げている。それには以下のステップがある。最初は光検知モジュールによって光を受信して光信号を発生するステップ(S100)、続いて光／デジタル信号変換モジュールによって当該光検知モジュールが発生した光信号をデジタル信号に変換するステップ(S102)、その後、符号化モジュールによって、当該光／デジタル信号変換モジュールのデジタル信号をシリアル出力に変換するステップ(S104)、最後に復号化モジュールによって、当該符号化モジュールのシリアル出力をパラレルのデジタル信号出力に変換するステップ(S106)となる。
【００１９】
本発明では、光／デジタル信号変換モジュール２０の信号伝送方法からすべてデジタル信号伝送であり、符号化モジュール３０を通過してシリアル出力に変換され、さらに復号化モジュール４０がアナログ／デジタル変換モジュールの機能に置き換わり、デジタル信号のパラレル出力を行う。
【００２０】
したがって本発明の設計は、光検知モジュールがデジタル信号であるだけでなく、その他のモジュールがすべてデジタル信号による伝送と処理であり、アナログ信号の欠点を大幅に減少させている。その中で符号化モジュール３０と復号化モジュール４０は、デジタル信号遅延の補正、資料遺失の補償、画像デイストーションの補正といった、デジタル信号の誤差を修正する機能を有し、パラレルにデジタル信号を出力し、本の利用者システム端のアナログ／デジタル変換モジュールの機能に置き換わり、利用者端システムのコストを低下させる。
【００２１】
復号化モジュール４０は接触型映像検知装置側もしくは利用者システムモジュール側に設置可能で、応用製品がスキャナや多機能事務機器の場合、長い接続線を使用して接続する必要があり、復号器が接触型映像検知装置側に設置されると、信号をパラレル出力するために接続線が太くなり（例えば16ビットの場合、オリジナルのものより16線分太い接続線が必要となる）、システム構成の設計上で支障をもたらし、電磁界干渉(Electromagnetic Interference, EMI) の影響もより大きくなり、よって、当該復号化モジュールが利用者システム端に設置されれば、接触型映像検知装置とシステムモジュールの映像資料が一本のみのシリアル信号で接続され、システム設計全体に大きなメリットをもたらす。
【００２２】
この他、図３は、本発明でデジタル信号出力を備えた接触型映像検知装置の機能を表す第二実施例のブロック図である。図面に示すように、本発明ではデジタル信号出力を備えた接触型映像検知装置を採り上げている。その中には、タイミング信号発生モジュール５０、光検知モジュール１０、アナログ／デジタル変換モジュール６０、符号化モジュール３０及び復号化モジュール４０が含まれている。その中でタイミング信号発生モジュール５０はタイミング信号発生器である。光検知モジュール１０はタイミング信号発生モジュール５０の制御によって光を受信して光信号を発生する。当該光検知モジュールは電荷結合素子(Charge Coupled Device, CCD)光検知アレイ群である。アナログ／デジタル変換モジュール６０は光検知モジュール１０が発生する光信号をデジタル信号に変換するのに用いられる。
【００２３】
このほか、符号化モジュール３０と復号化モジュール４０の効用は、第一実施例と同じである。すなわち、当該符号化モジュール３０は、アナログ／デジタル変換モジュール６０のデジタル信号をシリアル出力に変換するのに用いられ、復号化モジュール４０は、符号化モジュール３０のシリアル出力をパラレルのデジタル信号出力に変換するのに用いられる。復号化モジュール４０は利用者端に設置が可能である。
【００２４】
ちなみに、CMOSがCCD と異なるのは、CCD 感光モジュールがデジタル制御回路と同一のチップ(chip)Ａで集積できず、別のタイミング制御発生モジュール５０で制御する必要があり、しかもタイミング信号発生モジュール５０、アナログ／デジタル変換モジュール６０及び符号化モジュール３０は同一のチップＡに集積可能だからである。
【００２５】
このほか、図４は、本発明でデジタル信号出力を備えた接触型映像検知装置の機能を表す第二実施例のフローチャートである。フローチャートから分かるように、本発明では接触型映像検知装置の信号出力方法を採り上げている。それには以下のステップがある。最初は、タイミング信号発生モジュール５０を採り上げ(S200)、続いて、タイミング信号発生モジュール５０の制御によって、光検知モジュール１０が光を受信して光信号を発生し(S202)、その後、アナログ／デジタル変換モジュール６０によって、光検知モジュール１０が発生した光信号をデジタル信号に変換(S204)、引き続き符号化モジュール３０により、アナログ／デジタル変換モジュール６０のデジタル信号をシリアル出力に変換(S206)、最後に、復号化モジュール４０によって、符号化モジュール３０のシリアル出力をパラレルのデジタル信号出力に変換する(S208)。以上記載したように、本発明はデジタル信号出力を備えた接触型映像検知モジュールであり、映像品質を向上、製品応用システム設計の簡易性を高め、パワー消耗を抑え、コストを低下させる機能を持つ。
【００２６】
よって、本発明は実際にめったにない実用新型発明製品であり、新規性及び進歩性を高く備え、発明特許の出願要件に完全に合致している。
【００２７】
しかしながら、以上に記した事柄は、本発明の最良のものの中の一つの具体的実施例の詳細説明と図式に過ぎず、本発明の特徴を表しただけであり、このことに限定されるものではなく、本発明を制限するのに用いられるのではなく、本発明のすべての範囲は特許請求の範囲（請求項）を基準とし、おしなべて本発明の請求項の精神とその変化に類似したものの実施例に合致するものはすべて、本発明の範囲に含まれ、いかに当該分野を熟知した技術者が本発明の領域の中で、改変や修飾を容易に考えようとも、すべて本案の請求項に帰属する。
【図面の簡単な説明】
【００２８】
【図１】本発明でデジタル信号出力を備えた接触型映像検知装置の機能を表す第一実施例のブロック図である（復号化モジュールは利用者端に設置されている）。
【図２】本発明でデジタル信号出力を備えた接触型映像検知装置の機能を表す第一実施例のフローチャートである。
【図３】本発明でデジタル信号出力を備えた接触型映像検知装置の機能を表す第二実施例のブロック図である（復号化モジュールは利用者端に設置されている）。
【図４】本発明でデジタル信号出力を備えた接触型映像検知装置の機能を表す第二実施例のフローチャートである。
【符号の説明】
【００２９】
１０  光検知モジュール
２０  光／デジタル信号変換モジュール
３０  符号化モジュール
４０  復号化モジュール
５０  タイミング信号発生モジュール
６０  アナログ／デジタル変換モジュール
Ａ  チップ
【図１】
2006270875.tif 000003
【図２】
2006270875.tif 000004
【図３】
2006270875.tif 000005
【図４】
2006270875.tif 000006